(57)【特許請求の範囲】
【請求項１】
棒状体ワークを多数並列状に重合収納したホッパー底部に排出口に向って間欠駆動するコンベアベルトを配設し、底板の突出部上の棒状体ワークにより常時押された状態でコンベヤベルト上に載置されたワーク押圧体を配設し、前記ワーク押圧体が、間欠駆動するコンベアベルトに伴って、ホッパー内の前記棒状体ワーク後端を押圧しながら移動することを特徴とする棒状体ワークのホッパー装置。
【請求項２】
ホッパー内横方向に上方より揺動仕切板を取り付け、ホッパー内を数個のブロックに分けるようにした請求項１記載の棒状体ワークのホッパー装置。
【発明の詳細な説明】
【０００１】
【発明の属する技術分野】
本発明は、棒状体ワークを多数並列状に重合したホッパー内でワークが少くなってもワークの姿勢が崩れないようにした棒状体ワークのホッパー装置に関する。
【０００２】
【従来の技術】
図９、図１０は従来の異径部を有する棒状体ワークのホッパー装置である。
異径部を有する棒状体ワーク１００を多数並列状に重合収納したホッパー１０１内横方向に所定の間隔で上方より３枚の揺動仕切板１０２，１０３，１０４を揺動自在に配設していた。１０５は排出口で１対のブリッジ崩しローラ１０６，１０７にワーク１個が重合して１列で下降するワーク切り出し部１０８を形成している。１０９は搬送コンベアで、切り出されたワーク１００を１個宛載置台１１０上に載置搬送する。ホッパー１０１の下部には間欠駆動されるコンベア１１１が配設されている。ホッパー１０１内のワーク１００は最初は図９の如く、揺動仕切板１０２，１０３，１０４により仕切られ姿勢が崩れることなくコンベア１１１により排出口１０５の方向に間欠駆動される。
【０００３】
【発明が解決しようとする課題】
しかし乍らホッパー１０１内のワーク１００が少くなるとコンベア１１１が間欠駆動した際、図１０の如く、ワークの姿勢が崩れ、向きが乱れて排出できなくなるという問題点があった。
【０００４】
【課題を解決するための手段】
本発明は上記問題点を解決することを目的とし、棒状体ワークを多数並列状に重合収納したホッパー底部に排出口に向って間欠駆動するコンベアベルトを配設し、底板の突出部上の棒状体ワークにより常時押された状態でコンベヤベルト上に載置されたワーク押圧体を配設し、前記ワーク押圧体が、間欠駆動するコンベアベルトに伴って、ホッパー内の前記棒状体ワーク後端を押圧しながら移動することを特徴とする。
【０００５】
【発明の実施の形態】
本発明の実施の形態を図示した実施例に基づいて詳細に説明する。
図１乃至図７は本発明の第１実施例である。１は異径部を有する棒状体ワークで、ホッパー２内に多数並列状に重合されている。３，４，５は上端がホッパー２上部に枢着された揺動仕切板で、ホッパー２内を自由に揺動し、ワーク１の姿勢の乱れを防止するものである。ホッパー２内を３個のブロックＡ，Ｂ，Ｃに分けている。ホッパー２の左端下方には逆円錐状の排出口６が形成され、出口両側には１対のブリッジ崩しローラ７，８が上方に向って偏心回転するように配設されている。６ａは排出口６に連通し、ワーク１が１本宛通過する排出路である。９は排出されたワークを１個宛載置する搬送コンベアで、１０はワーク載置台である。１１はホッパー２下端のコンベアベルト、１２は左端ブロックのワーク１が一定量減少したことを検知するセンサーで、該センサー１２の検知信号によりコンベアベルト１１は間欠移動するようになっている。１３は本発明ワーク押圧板で、底板１４の突出部１５上のワーク１によりコンベアベルト上に常時押され、コンベアベルト１１の前進に伴って前進し、ホッパー２の後端を押圧するワーク押圧板で前面が弧面になっている。１６はブリッジ崩しローラ７，８の駆動モータである。１７は一端をホッパー２に、他端をワーク押圧板１３に固定した紐１７である。
【０００６】
次に作用について説明する。
図１、図２はホッパー２内にワーク１が満杯になっている。次いで、モータ１６を作動するとホッパー２内の左端ブロックのワーク１が図３の如く減少すると、センサー１２が検知し、コンベアベルト１１が間欠駆動し、ワーク押圧板１３もそれに伴って前進する。
更に、左端ブロックのワーク減少に伴って揺動仕切板３が図４の如く時計方向に旋回し、中央ブロックのワークが左端ブロックに移動する。更にワークが減少すると図５の如く中央ブロックのワークが左端ブロックに移動する。更にワークが減少すると図６の如く揺動仕切板３，４，５が時計方向に回転し、ワーク押圧板１３もコンベアベルト１１上を移動する。ホッパー２内のワークが図７の如く殆どなくなっても、ワークの姿勢を乱すことなくワークは排出され自動機（次工程）に供給される。ワークが少くなりワーク押圧板１３がどんどん進んで進んでも、紐１７によりワーク押圧板１３は排出口より落下しない。
【０００７】
図８は本発明の第２実施例で、押圧板２０は前面が斜平面２１になっており、この斜平面上方のワーク１が押圧板２０をコンベアベルト１１上に押圧している。他の構成及び作用は第１実施例と同様である。
本実施例においては、特に有効な異径部を有するワークについて説明したが、これに限ることなく、ストレート状のワークにも適用することができる。
【０００８】
【発明の効果】
本発明は、棒状体ワークを多数並列状に重合収納したホッパー底部に排出口に向って間欠駆動するコンベアベルトを配設し、ホッパー内の棒状体ワーク後端を押圧するワーク押圧板が間欠移動するコンベアベルトに伴って移動するようになっているので、ホッパー内のワークは姿勢を乱すことなく排出することができ、人手を要することなく大量の棒状体ワークを次工程の自動機に供給できる。
【図面の簡単な説明】
【図１】  本発明の第１実施例で内部を示す正面図である。
【図２】  図１の上面図である。
【図３】  図１のワーク押圧板がコンベアベルトの前進に伴ってわずか前進した状態の正面図である。
【図４】  図３のワークが更に減少した時の正面図である。
【図５】  図４のワークが更に減少した時の正面図である。
【図６】  図５のワークが更に減少した時の正面図である。
【図７】  図６のワークが殆んど無くなった状態の正面図である。
【図８】  本発明の第２実施例の内部を示す正面図である。
【図９】  従来装置のワーク満杯の内部を示す正面図である。
【図１０】  図９のワークが少くなった時の正面図である。
【符号の説明】
１    異径部を有する棒状体ワーク
２    ホッパー
３，４，５    揺動仕切板
６    排出口
７，８    ブリッジ崩しローラ
９    搬送コンベア
１０    ワーク載置台
１１    コンベアベルト
１２    センサー
１３    ワーク押圧板
１４    ワーク押圧板の底板
１５    底板の突出部
１６    ローラ駆動モータ
１７    ワーク押圧板を引っ張る紐
【図１】
0004385494.tif 000002
【図２】
0004385494.tif 000003
【図３】
0004385494.tif 000004
【図４】
0004385494.tif 000005
【図５】
0004385494.tif 000006
【図６】
0004385494.tif 000007
【図７】
0004385494.tif 000008
【図８】
0004385494.tif 000009
【図９】
0004385494.tif 000010
【図１０】
0004385494.tif 000011